【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
データ通信の方法であって、
集積回路間(I2C)バスプロトコルに従ってI2C信号における1次データを符号化するステップと、
マルチチャネル信号を取得するために前記I2C信号における2次データを符号化するステップと、
I2Cバス上で前記マルチチャネル信号を送信するステップであって、前記マルチチャネル信号は前記I2Cバスプロトコルに適合する、ステップと
を含み、前記I2C信号における前記2次データを符号化するステップは、
前記I2C信号上に重畳された差動信号において前記2次データを符号化するステップ
を含む、方法。
【請求項２】
前記差動信号は相補信号の対を含み、前記方法は、
前記I2Cバスのシリアルデータライン(SDA)上で前記相補信号の対のうちの一方を送信し、かつ前記I2Cバスのシリアルクロックライン(SCL)上で前記相補信号の対のうちの他方を送信することによって、前記I2Cバス上で前記差動信号を送信するステップ
をさらに含む、請求項1に記載の方法。
【請求項３】
前記差動信号は、前記SDAと前記SCLの両方がハイ論理レベルであるときに前記I2Cバス上で送信され、前記SDAおよび前記SCLは、前記SDAおよび前記SCLを介して前記差動信号が送信される間、前記ハイ論理レベルに関して前記I2Cバスプロトコルによって指定された最小電圧よりも高く、かつ前記ハイ論理レベルに関して前記I2Cバスプロトコルによって指定された最大電圧よりも低い電圧レベルを有するか、または前記差動信号は前記I2Cバスがアイドルである期間中に送信される、請求項2に記載の方法。
【請求項４】
データ通信の方法であって、
集積回路間(I2C)バスプロトコルに従ってI2C信号における1次データを符号化するステップと、
マルチチャネル信号を取得するために前記I2C信号における2次データを符号化するステップと、
I2Cバス上で前記マルチチャネル信号を送信するステップであって、前記マルチチャネル信号は前記I2Cバスプロトコルに適合する、ステップと
を含み、前記I2C信号における前記2次データを符号化するステップは、
周波数変調(FM)信号における前記2次データを符号化するステップと、
前記I2Cバスのシリアルデータライン(SDA)および前記I2Cバスのシリアルクロックライン(SCL)のうちの1つまたは複数を介して前記FM信号を送信するステップであって、前記FM信号は、I2C適合デバイスのレシーバによって使用されるシュミットトリガ入力に関する最小ヒステリシス電圧レベルよりも小さい振幅を有し、前記最小ヒステリシス電圧レベルは、前記I2Cバスプロトコルにおいて規定される、ステップと
を含む、方法。
【請求項５】
データ通信の方法であって、
集積回路間(I2C)バスプロトコルに従ってI2C信号における1次データを符号化するステップと、
マルチチャネル信号を取得するために前記I2C信号における2次データを符号化するステップと、
I2Cバス上で前記マルチチャネル信号を送信するステップであって、前記マルチチャネル信号は前記I2Cバスプロトコルに適合する、ステップと
を含み、前記I2C信号における前記2次データを符号化するステップは、
前記I2Cバスのシリアルデータライン(SDA)上または前記I2Cバスのシリアルクロックライン(SCL)上で送信される信号に短パルスを挿入するかまたは挿入しないステップを含み、
前記短パルスは、送信すべき前記2次データのビットの値が第1の値を有するときに挿入され、送信すべき前記2次データの前記ビットが第2の値を有するときには挿入されず、前記短パルスは前記I2Cバス上のパルスに関して前記I2Cバスプロトコルによって指定された最小持続時間よりも短い持続時間を有するか、または前記短パルスは、I2Cレシーバによって無視すべきスパイクに関して前記I2Cバスプロトコルによって指定された最大持続時間よりも短い持続時間を有する、
方法。
【請求項６】
前記I2C信号における前記2次データを符号化するステップは、
前記SCL上で送信されるクロック信号の複数の半周期に短パルスを挿入するかまたは挿入しないステップを含む、請求項5に記載の方法。
【請求項７】
データ通信の方法であって、
集積回路間(I2C)バスプロトコルに従ってI2C信号における1次データを符号化するステップと、
マルチチャネル信号を取得するために前記I2C信号における2次データを符号化するステップと、
I2Cバス上で前記マルチチャネル信号を送信するステップであって、前記マルチチャネル信号は前記I2Cバスプロトコルに適合する、ステップと
を含み、前記I2C信号における前記2次データを符号化するステップは、
変調されたクロック信号を取得するために前記I2Cバスのシリアルクロックライン(SCL)上で送信されるクロック信号をパルス幅変調するステップを含み、
前記変調されたクロック信号のそれぞれのハイ期間は、前記I2Cバスプロトコルによって指定されたSCLクロックに関する最小のハイ期間を超える持続時間を有し、前記変調されたクロック信号のそれぞれのロー期間は、前記I2Cバスプロトコルによって指定されたSCLクロックに関する最小のロー期間を超える持続時間を有する、
方法。
【請求項８】
データ通信の方法であって、
集積回路間(I2C)バスプロトコルに従ってI2C信号における1次データを符号化するステップと、
マルチチャネル信号を取得するために前記I2C信号における2次データを符号化するステップと、
I2Cバス上で前記マルチチャネル信号を送信するステップであって、前記マルチチャネル信号は前記I2Cバスプロトコルに適合し、前記1次データは前記I2Cバス上で送信すべきフレームにおいて符号化される、ステップと
を含み、前記I2C信号における前記2次データを符号化するステップは、
送信すべき前記2次データのビットが第1の値を有するときに、連続的なフレーム間に停止条件に続いて開始条件を送信するステップと、
送信すべき前記2次データの前記ビットが第2の値を有するときに、前記連続的なフレーム間に反復開始条件を送信するステップであって、前記開始条件および前記停止条件は前記I2Cバスプロトコルによって指定される、ステップと
を含む、方法。
【請求項９】
データ通信の方法であって、
集積回路間(I2C)バスプロトコルに従ってI2C信号における1次データを符号化するステップと、
マルチチャネル信号を取得するために前記I2C信号における2次データを符号化するステップと、
I2Cバス上で前記マルチチャネル信号を送信するステップであって、前記マルチチャネル信号は前記I2Cバスプロトコルに適合し、前記1次データは前記I2Cバス上で送信すべきフレームにおいて符号化される、ステップと
を含み、前記I2C信号における前記2次データを符号化するステップは、
送信すべき前記2次データのビットが第1の値を有するときに、連続的なフレームの対の間に、既定の2つの持続時間のうちの第1の持続時間を有する反復開始条件を送信するステップと、
送信すべき前記2次データの前記ビットが第2の値を有するときに、前記連続的なフレームの対の間に、既定の2つの持続時間のうちの第2の持続時間を有する反復開始条件を送信するステップであって、前記開始条件は前記I2Cバスプロトコルによって指定される、ステップと
を含む、方法。
【請求項１０】
データ通信の方法であって、
集積回路間(I2C)バスプロトコルに従ってI2C信号から受信された1次データを復号するステップと、
前記I2C信号から2次データを復号するステップであって、前記2次データは前記I2Cバスプロトコル以外のプロトコルを使用して復号される、ステップと
を含み、
前記I2C信号は前記I2Cバスプロトコルに準拠し、2次データを復号するステップは、
前記I2Cバスのシリアルデータライン(SDA)およびシリアルクロックライン(SCL)から信号の差動対を受信するステップであって、前記SDAおよび前記SCLは、前記信号の前記差動対のうちのそれぞれに異なる信号を搬送する、ステップと、
前記信号の前記差動対から前記2次データを復号するステップと
を含む、方法。
【請求項１１】
前記信号の前記差動対は、前記SDAと前記SCLの両方がハイ論理レベルであるときに前記I2Cバスから受信され、前記SDAおよび前記SCLは、前記信号の前記差動対が前記I2Cバスから受信される間、前記ハイ論理レベルに関して前記I2Cバスプロトコルによって指定された最小電圧よりも高く、かつ前記ハイ論理レベルに関して前記I2Cバスプロトコルによって指定された最大電圧よりも低い電圧レベルを有するか、または前記信号の前記差動対は、前記I2Cバスがアイドルである期間中に受信される、請求項10に記載の方法。
【請求項１２】
データ通信の方法であって、
集積回路間(I2C)バスプロトコルに従ってI2C信号から受信された1次データを復号するステップと、
前記I2C信号から2次データを復号するステップであって、前記2次データは前記I2Cバスプロトコル以外のプロトコルを使用して復号される、ステップと
を含み、
前記I2C信号は前記I2Cバスプロトコルに準拠し、前記2次データを復号するステップは、
前記I2Cバスのシリアルデータライン(SDA)およびシリアルクロックライン(SCL)の少なくとも一方から周波数変調(FM)信号を受信するステップと、
前記FM信号から前記2次データを復号するステップと
を含み、
前記FM信号は、前記I2Cバスプロトコルにおいて規定されるI2C適合デバイスのレシーバにおけるシュミットトリガ入力に関する最小ヒステリシス電圧レベルよりも小さい振幅を有する、
方法。
【請求項１３】
前記SDAおよび前記SCLの電圧は、前記FM信号が受信される間、ハイ論理レベルに関して前記I2Cバスプロトコルによって指定された最小電圧よりも高く、かつ前記ハイ論理レベルに関して前記I2Cバスプロトコルによって指定された最大電圧よりも低い、請求項12に記載の方法。
【請求項１４】
データ通信の方法であって、
集積回路間(I2C)バスプロトコルに従ってI2C信号から受信された1次データを復号するステップと、
前記I2C信号から2次データを復号するステップであって、前記2次データは前記I2Cバスプロトコル以外のプロトコルを使用して復号される、ステップと
を含み、
前記I2C信号は前記I2Cバスプロトコルに準拠し、2次データを復号するステップは、
前記I2Cバスのシリアルデータライン(SDA)または前記I2Cバスのシリアルクロックライン(SCL)から受信された信号における短パルスの有無を判定するステップと、
前記短パルスの有無に基づいて前記2次データを復号するステップであって、前記短パルスの各々は、無視すべきスパイクに関してI2Cバスプロトコルによって指定された最大持続時間よりも短い持続時間を有する、ステップと
を含む、方法。
【請求項１５】
データ通信の方法であって、
集積回路間(I2C)バスプロトコルに従ってI2C信号から受信された1次データを復号するステップと、
前記I2C信号から2次データを復号するステップであって、前記2次データは前記I2Cバスプロトコル以外のプロトコルを使用して復号される、ステップと
を含み、
前記I2C信号は前記I2Cバスプロトコルに準拠し、2次データを復号するステップは、
前記I2Cバスのシリアルクロックライン(SCL)から受信されたクロック信号の複数の半周期における短パルスの有無を判定するステップと、
前記短パルスの前記有無に基づいて前記2次データを復号するステップと
を含み、
前記短パルスの各々は、無視すべきスパイクに関してI2Cバスプロトコルによって指定された最大持続時間よりも短い持続時間を有する、
方法。
【請求項１６】
データ通信の方法であって、
集積回路間(I2C)バスプロトコルに従ってI2C信号から受信された1次データを復号するステップと、
前記I2C信号から2次データを復号するステップであって、前記2次データは前記I2Cバスプロトコル以外のプロトコルを使用して復号される、ステップと
を含み、
前記I2C信号は前記I2Cバスプロトコルに準拠し、2次データを復号するステップは、
前記I2Cバスのシリアルクロックライン(SCL)から受信されたパルス幅変調されたクロック信号における2次データを復号するステップを含み、
前記パルス幅変調されたクロック信号のそれぞれのハイ期間は、前記I2Cバスプロトコルによって指定されたSCLクロックに関する最小のハイ期間を超える持続時間を有し、前記パルス幅変調されたクロック信号のそれぞれのロー期間は、前記I2Cバスプロトコルによって指定されたSCLクロックに関する最小のロー期間を超える持続時間を有する、
方法。
【請求項１７】
データ通信の方法であって、
集積回路間(I2C)バスプロトコルに従ってI2C信号から受信された1次データを復号するステップと、
前記I2C信号から2次データを復号するステップであって、前記2次データは前記I2Cバスプロトコル以外のプロトコルを使用して復号される、ステップと
を含み、
前記I2C信号は前記I2Cバスプロトコルに準拠し、2次データを復号するステップは、
前記I2Cバスのシリアルデータライン(SDA)上で前記1次データを伝送する連続的なフレーム間に停止条件および開始条件が受信されたときに2次データのビットに関する第1の値を決定するステップと、
前記連続的なフレーム間に反復開始条件が受信されたときに前記2次データの前記ビットに関する第2の値を決定するステップであって、前記開始条件および前記停止条件は前記I2Cバスプロトコルによって指定される、ステップと
を含む、方法。
【請求項１８】
データ通信の方法であって、
集積回路間(I2C)バスプロトコルに従ってI2C信号から受信された1次データを復号するステップと、
前記I2C信号から2次データを復号するステップであって、前記2次データは前記I2Cバスプロトコル以外のプロトコルを使用して復号される、ステップと
を含み、
前記I2C信号は前記I2Cバスプロトコルに準拠し、2次データを復号するステップは、
前記I2Cバスのシリアルデータライン(SDA)上で前記1次データを伝送する連続的なフレーム間に受信された反復開始条件が第1の持続時間を有するときに2次データのビットに関する第1の値を決定するステップと、
前記反復開始条件が第2の持続時間を有するときに前記2次データの前記ビットに関する第2の値を決定するステップであって、前記開始条件は前記I2Cバスプロトコルによって指定される、ステップと
を含む、方法。
【請求項１９】
集積回路間(I2C)バスにわたってデータを通信するように構成される装置であって、請求項1から9または10から18のいずれか一項に記載の方法を実行するための手段を備える、装置。